(57)【特許請求の範囲】
【請求項１】
液透過性の表面シート、液不透過性の防漏シート、及び液保持性の吸収体を備え、実質的に縦長であり、背側部の左右両側部に一対の背側サイドフラップ部を有する吸収性物品において、
一対の前記背側サイドフラップ部それぞれは、伸縮性シートからなる伸縮部と、非伸縮性シートからなる非伸縮部とからなり、該非伸縮部は、該非伸縮性シートと該伸縮性シートとが貼り合わされた接合領域を有し且つおむつ止着用の止着部を有しており、
前記伸縮部における吸収性物品の中央側の縁部である第１縁部の、吸収性物品の長手方向の中心線Ｐに平行な長さＡと、前記接合領域の、該中心線Ｐに平行な長さの最大値Ｂとの比（Ｂ／Ａ）が０．１〜０．２であり、前記長さＡと、第１縁部及び前記非伸縮部間の最短距離Ｃとの比（Ｃ／Ａ）が０．０５〜０．５であり、前記第１縁部、及び前記伸縮部と前記非伸縮部との境界である第２縁部それぞれのウエスト開口縁部側の端部同士間を結ぶ直線Ｑと、前記中心線Ｐに直交する直線Ｒとのなす角度θが５〜４５゜であり、前記長さＡは、吸収性物品の長手方向全長の１／４〜１／２であり、
前記長さＡと、前記止着部の最もウエスト開口縁部側に位置する点及び該ウエスト開口縁部の延長線Ｓ間の距離Ｄとの比（Ｄ／Ａ）が０．０５〜０．１５であり、
一対の前記サイドフラップ部それぞれは、略三角形状をなしている吸収性物品。
【請求項２】
前記長さＡと、前記止着部の最も股下部側に位置する点及び前記延長線Ｓ間の距離Ｅとの比（Ｅ／Ａ）が０．１０〜０．５０であり、且つ該長さＡと、前記距離Ｅから前記距離Ｄを引いた距離Ｆとの比（Ｆ／Ａ）が０．０５〜０．４５である請求項１記載の吸収性物品。
【請求項３】
前記伸縮部は、複数の方向に伸縮可能になされている請求項１又は２記載の吸収性物品。
【請求項４】
前記伸縮部は、前記表面シート、前記防漏シート及び前記吸収体を備えた本体の側部に、該側部の外方に延出するように伸縮性のシート材を固定して形成されている請求項１〜３の何れかに記載の吸収性物品。
【請求項５】
前記表面シート、前記防漏シート及び前記吸収体を備えた実質的に縦長の本体と、背側部における該本体の左右両側に形成された一対の前記背側サイドフラップ部を具備し、
前記本体のレッグ部には、レッグギャザー形成用のレッグ部弾性部材が配されていない、請求項１〜４の何れかに記載の吸収性物品。
【発明の詳細な説明】
【０００１】
【発明の属する技術分野】
本発明は、装着が容易で、ウエスト廻り及び脚廻りのフィット性に優れた使い捨ておむつ等の吸収性物品に関する。
【０００２】
【従来の技術及び発明が解決しようとする課題】
従来、液透過性の表面シート、液不透過性の防漏シート、及び液保持性の吸収体を備え、背側部の左右両側部に止着部を有する一対の背側サイドフラップ部を備え、該背側サイドフラップ部を該止着部を介して腹側部の外面に止着して装着される使い捨ておむつ等の吸収性物品が広く知られている。
例えば、特表平９−５０７４０９号公報には、エラストマー材料からなる耳部を備えた使い捨て吸収性物品が提案されている。しかし、同公報に記載された使い捨て吸収性物品は、ウエスト廻りのフィット性は良好であっても、脚廻りのフィット性に劣るものである。
また、背側サイドフラップ部に二種類のテープファスナーを設け、ウエスト廻り及び脚廻りのフィット性の向上を図らんとした使い捨ておむつが提案されているが、二種類のファスナーを固定する必要があり、装着操作が面倒である。
【０００３】
従って、本発明の目的は、装着が容易で、ウエスト廻り及び脚廻りのフィット性に優れた使い捨ておむつ等の吸収性物品を提供することにある。
【０００４】
【課題を解決するための手段】
本発明は、液透過性の表面シート、液不透過性の防漏シート、及び液保持性の吸収体を備え、実質的に縦長であり、背側部の左右両側部に一対の背側サイドフラップ部を有する吸収性物品において、一対の前記背側サイドフラップ部それぞれは、伸縮性シートからなる伸縮部と、非伸縮性シートからなる非伸縮部とからなり、該非伸縮部は、該非伸縮性シートと該伸縮性シートとが貼り合わされた接合領域を有し且つおむつ止着用の止着部を有しており、前記伸縮部における吸収性物品の中央側の縁部である第１縁部の、吸収性物品の長手方向の中心線Ｐに平行な長さＡと、前記接合領域の、該中心線Ｐに平行な長さの最大値Ｂとの比（Ｂ／Ａ）が０．１〜０．２であり、前記長さＡと、第１縁部及び前記非伸縮部間の最短距離Ｃとの比（Ｃ／Ａ）が０．０５〜０．５であり、前記第１縁部、及び前記伸縮部と前記非伸縮部との境界である第２縁部それぞれのウエスト開口縁部側の端部同士間を結ぶ直線Ｑと、前記中心線Ｐに直交する直線Ｒとのなす角度θが５〜４５゜であり、前記長さＡは、吸収性物品の長手方向全長の１／４〜１／２であり、前記長さＡと、前記止着部の最もウエスト開口縁部側に位置する点及び該ウエスト開口縁部の延長線Ｓ間の距離Ｄとの比（Ｄ／Ａ）が０．０５〜０．１５であり、一対の前記サイドフラップ部それぞれは、略三角形状をなしている吸収性物品を提供することにより、上記の目的を達成したものである。
【０００５】
【発明の実施の形態】
以下、本発明をその好ましい一実施形態に基づいて説明する。
本実施形態の吸収性物品としての使い捨ておむつ１は、液透過性の表面シート２、液不透過性の防漏シート３、及び液保持性の吸収体４を備えた実質的に縦長の形態を有する本体１０を備えている。
【０００６】
表面シート２及び防漏シート３は、それぞれ吸収体４よりも大きい外形寸法を有し、これら両シート２，３間に吸収体４が挟持固定されている。
防漏シート３は、その両側縁部が吸収体４の両側縁４ａ，４ａよりも左右外方に位置するように延出しており、本体１０の両側部に、使い捨ておむつ１の長手方向に沿う一対のレッグ部１１，１１が形成されている。
また、防漏シート３の外面には、不織布製の外層シート５が配されており、該外層シート５は、その両側縁部が吸収体４の両側縁４ａよりも左右外方に位置するように延出しており、その延出部分は、防漏シート３と共にレッグ部１１，１１を形成している。
【０００７】
本体１０は、使い捨ておむつ１を平面状に拡げた伸張状態（以下、伸張状態という）において、略矩形状の縦長形状をなしており、本体１０の長手方向の両側部には、左右一対の立体ガード６，６が設けられている。各立体ガード６は、弾性部材６１を有するシート材６２を配して形成されており、各立体ガード６の自由端６３は、その基端６４よりも、使い捨ておむつ１の幅方向の中央側に位置し、該基端６４は、シート材６２が、吸収体４の上方において表面シート２に接着固定されて形成されている。各シート材６２は、自由端とは反対側の縁部が吸収体４の側縁４ａよりも外方に位置するように延出しており、その延出部分は、防漏シート３に貼り合わされ、防漏シート３及び外層シート５と共にレッグ部１１，１１を形成している。
【０００８】
また、使い捨ておむつ１の長手方向の両端部には、弾性部材を有するシート材８０，８０が配され、背側立体ガード８１及び腹側立体ガード８２が形成されている。尚、レッグ部１１，１１には、レッグギャザー形成用のレッグ部弾性部材が配されていない。
【０００９】
そして、本使い捨ておむつ１は、着用時に着用者の背側に配される背側部１Ａの左右両側部に、一対の背側サイドフラップ部７，７を有している。
各背側サイドフラップ部７は、止着部７３を有しており、本使い捨ておむつ１における止着部７３は、背側サイドフラップ部７の片面に、係合用突起が多数植設されてなる機械的ファスナーの雄部材を溶着、接着等の適宜の接合方法により接合して形成されている。機械的ファスナーの雄部材は、機械的ファスナーの雌部材を配して形成された腹側部１Ｂ外面の被止着部９に、着脱自在に係合し得るようになされている。斯かる機械的ファスナーの雄部材としては、例えば、クラレ社製の「マジックテープ（登録商標）」等を用いることができる。
【００１０】
而して、一対の前記背側サイドフラップ部７，７それぞれは、略三角形状をなしており、伸縮部７Ａと、おむつ止着用の前記止着部７３を有する非伸縮部７Ｂとからなる。
【００１１】
伸縮部７Ａは、図１〜４に示す如く、本体１０の側部１０ａに、フラップ部形成用のシート材（伸縮性シート）７１を該側部１０ａの外方に突出するように固定して形成されており、複数の方向に伸縮可能な伸縮性を有している。より具体的には、おむつの長手方向及び幅方向の双方に伸縮可能になされており、おむつの幅方向には、少なくとも５０％（好ましくは５０〜５００％）伸長可能で、おむつの長手方向には、少なくとも１０％（好ましくは１０〜５００％）伸長可能となっている。
【００１２】
非伸縮部７Ｂは、伸縮部形成用の伸縮性シート７１の一部、具体的には伸縮性シート７１の突出方向の先端部に、非伸縮性シート７２の一部を貼り合わせて形成されており、該非伸縮性シート７２と該伸縮性シート７１とが貼り合わされた接合領域Ｚを有している。尚、本実施形態においては、一枚の非伸縮性シート７２を、伸縮性シート７１上に貼り合わせてあるが、２枚の非伸縮性シートで一枚の伸縮性シートを挟み込んでも良い。また、一枚の非伸縮性シート７２を、貼り合わせる場合、伸縮性シート７１の表裏何れの面側に貼り合わせても良い。
【００１３】
非伸縮部７Ｂは、背側サイドフラップ部７のウエスト開口縁部１２側の端部７ｄにおける、おむつの幅方向の外側部に形成されており、おむつを装着する際の摘み部として機能する。即ち、本使い捨ておむつは、非伸縮部７Ｂを手に摘んで腹側部１Ｂ方向に引っ張り、該非伸縮部７Ｂを、図６に示す如く、止着部７３を介して腹側部１Ｂ外面の被止着部９に固定することにより、装着者に装着固定することができる。尚、非伸縮部７Ｂは、おむつの幅方向に横長の形態を有しており、おむつ外方側の端部は、背側サイドフラップ部７における側縁部７ｂに突出部を形成している。また、非伸縮部７Ｂは、手で引っ張った際の伸張率が５％未満である。
【００１４】
そして、前記伸張状態において、サイドフラップ部の伸縮部７Ａ及び非伸縮部７Ｂは、以下の関係を満たしている。
即ち、伸縮部７Ａにおける使い捨ておむつ１の中央側の縁部である第１縁部７４の、おむつ１の長手方向の中心線Ｐに平行な長さＡと、前記接合領域Ｚの、該中心線Ｐに平行な長さの最大値Ｂとの比（長さＢ／長さＡ）は０．１〜０．２である。この比が０．１未満であると、非伸縮部７Ｂを手に摘んで腹側部１Ｂ方向に引っ張った際、摘み部の面積が伸縮部７Ａの面積に比して著しく小さくなるため、摘み部の引っ張り力を伸縮部形成用のシート材７１全体に伝達させることが困難となり、ウエスト廻り、脚廻りのどちらか一方、或いは両方のフィット性が著しく低下し、０．２を超えると、非伸縮部７Ｂを手に摘んで腹側部１Ｂ方向に引っ張った際、一動作の装着では摘み部の引っ張り力がウエスト廻り、或いは脚廻りのどちらか一方にかたよって伝達され、ウエスト廻り及び脚まわりを同時にフィットさせることが困難となる。
【００１５】
ここで、第１縁部７４のおむつ１の長手方向の中心線Ｐに平行な長さＡとは、第１縁部７４がおむつの長手方向に延びる中央線Ｐと平行な場合には、第１縁部７４の長さを該第１縁部７４に沿って計測した長さであり、中央線Ｐと平行でない場合（曲線状である場合を含む）には、図５に示すように、第１縁部７４自体の長さではなく、第１縁部７４を、おむつの長手方向の中央線Ｐに投影した長さである。
【００１６】
また、前記長さＡと、第１縁部７４及び前記非伸縮部７Ｂ間の最短距離Ｃとの比（距離Ｃ／長さＡ）は０．０５〜０．５であり、より好ましくは０．１〜０．２５である。この比が０．０５未満であると、伸縮部７Ａの伸縮可能面積がサイドフラップ部７の面積に比して著しく小さいためウエスト及び脚廻りのフィットに必要な伸縮力が得られず、０．５を超えると、腹側部Ｂで止着部同士が重なる恐れがあり、おむつの構成上好ましくない。
【００１７】
また、第１縁部７４、及び伸縮部７Ａと非伸縮部７Ｂとの境界である第２縁部７５それぞれのウエスト開口縁部側の端部７４ａ，７５ａ同士間を結ぶ直線Ｑと、前記中心線Ｐに直交する直線Ｒとのなす角度θは、５〜４５゜であり、より好ましくは１０〜３５゜である。このなす角度θが５゜未満であると、横方向への引っ張り力がウエスト部に集中し、脚廻りに良好なフィット性を得ることができず、４５゜を超えると、横方向への引っ張り力が大腿部に集中し、ウエスト廻りに良好なフィット性を得ることができない。
【００１８】
更に、前記長さＡと、前記止着部７３の最もウエスト開口縁部１２側に位置する点７３ａ及び該ウエスト開口縁部の延長線Ｓ間の距離Ｄとの比（距離Ｄ／長さＡ）は０．０５〜０．１５であり、該長さＡと、該止着部７３における最も股下部側に位置する点７３ｂ及び該延長線Ｓ間の距離Ｅとの比（距離Ｅ／長さＡ）は０．１０〜０．５０であり、該長さＡと、前記距離Ｅから前記距離Ｄを引いた距離Ｆとの比（距離Ｆ／距離Ａ）は０．０５〜０．４５である。そのため、本形態の使い捨ておむつは、よりウエスト廻り及び脚廻りのフィット性に優れたものとなっている。
【００１９】
尚、かかる優れた効果が、より一層効果的に奏されるようにする観点から、前記長さＡと前記距離Ｅとの比（Ｅ／Ａ）は０．２〜０．４であり、且つ該長さＡと前記距離Ｆとの比（Ｆ／Ａ）は０．１〜０．３５であることが、より好ましい。
また、本実施形態の使い捨ておむつ１における第１縁部７４の腹側部１Ｂ寄りの端部７４ｂは、着用時に着用者の股下部に配される股下部１Ｃ、より具体的には、おむつ１を長手方向に５等分した際の３つ目の中央領域に位置している。
【００２０】
また、第１縁部７４の、おむつ１の長手方向の中心線Ｐに平行な前記長さＡは、おむつの長手方向全長に対して１／４以上１／２以下の長さである。
前記長さＡが、おむつ全長の１／４未満であると、サイドフラップ部が大腿部に沿いづらくなり、脚廻りのフィット性が低下する。前記長さＡは、ウエスト開口縁部と股下部との間の距離に略等しいときが最も脚廻りのフィット性が良く、それ以上（おむつ全長の１／２以上）に長くしてもメリットはなく、コスト面でのデメリットの方が大きくなる。
【００２１】
次に、本実施形態の使い捨ておむつ１を構成する各部材の形成材料について説明する。
表面シート２、防漏シート３、吸収体４、外層シート５、立体ガード形成用のシート材６２，８０及び弾性部材の形成材料としては、通常、使い捨ておむつに用いられるものを特に制限なく用いることができる。
【００２２】
また、伸縮部７Ａを形成するシート材７１の形成材料としては、従来公知の各種の伸縮性の材料を用いることができ、例えば、エラストマーと組み合わされ伸縮性を付与された不織布、エラストマーフィルム、エラストマーフォーム等を好ましく用いることができる。また、背側サイドフラップ部７に非伸縮部を形成する前記シート材７２，７２の形成材料としては、非伸縮部を形成し得るものであれば、特に制限されず、非伸縮性の不織布、織布等を用いることができる。
【００２３】
本実施形態の使い捨ておむつ１においては、上述したように、非伸縮部７Ｂを、前記止着部７３を介して腹側部１Ｂの外面に固定することにより、装着者に安定に固定することができる。
【００２４】
そして、本使い捨ておむつ１においては、装着時に伸縮部７Ａの一部が、おむつの装着時にウエスト廻りに伸張した状態で配されるため、ウエスト廻りに優れたフィット性が得られる。また、伸縮部７Ａの他の一部は、着用者の脚廻りに伸張した状態に配され、該脚廻りにおいて、着用者の肌に沿うように変形するため、着用者の脚廻りに優れたフィット性が得られる。
また、伸縮部７Ａが、複数の方向に伸縮可能になされているため、伸縮部７Ａが着用者の身体の曲面に沿って密着し、著しく活動した後も優れたフィト性を維持することができる。
【００２５】
また、本使い捨ておむつ１においては、上述したように、簡単に装着することができ、例えば、おむつを装着すべき赤ん坊等が激しく動くような場合であっても、おむつを容易且つ迅速に装着することができる。
【００２６】
以上、本発明の一実施形態について説明したが、本発明は上記の実施形態に制限されず本発明の趣旨を逸脱しない範囲内において種々の変更が可能である。
例えば、止着部は、図５に示すように、複数に分割されていても良い。図５の例においては、一つの背側サイドフラップ部に、二つの止着部７３，７６が形成されており、該止着部７６が形成された部分も非伸縮部となっている。この場合における、前記接合領域Ｚのおむつ中心線Ｐに平行な長さの最大値Ｂ、第１縁部７４と非伸縮部７Ｂとの間の最短距離Ｃを、それぞれ図５に示した。また、止着部の基点は、止着部７３の最もウエスト開口縁部１２側の点７３ａと、止着部７６の最も股下部１Ｃ側の点７６ｂとする。つまり、距離Ｄ、距離Ｅ、距離Ｆは、図５に示す通りに規定する。
【００２７】
また、非伸縮部は、伸縮部を形成するシートに、非伸縮性のシートを連設して形成することもできる。また、止着部は、シート表面に粘着剤を塗布して形成したものであっても良い。また、ホック等を設けても良い。また、足廻りのフィット性を向上させる観点から、レッグギャザー形成用のレッグ部弾性部材を配しても良い。また、本発明は、赤ん坊や成人用の使い捨ておむつの他、失禁パットや生理用ナプキン等に適用することもできる。
【００２８】
【発明の効果】
本発明の吸収性物品は、装着が容易で、ウエスト廻り及び脚廻りのフィット性に優れたものである。
【図面の簡単な説明】
【図１】図１は、本発明の一実施形態としての使い捨ておむつを、自由状態において表面シート側から視た斜視図である。
【図２】図２は、図１のＸ−Ｘ断面図である。
【図３】図３は、図１の使い捨ておむつにおける背側サイドフラップ部の一方を、伸張状態として示した平面図である。
【図４】図４は、図３のＹ−Ｙ断面図である。
【図５】図５は、本発明の他の実施形態の要部を示す図（図３相当図）である。
【図６】図６は、図１の使い捨ておむつを装着した状態を示す斜視図である。
【符号の説明】
１    吸収性物品（使い捨ておむつ）
１０    本体
１２    ウエスト開口縁部
２    表面シート
３    防漏シート
４    吸収体
５    外層シート
７    背側サイドフラップ部
７Ａ  伸縮部
７Ｂ  非伸縮部
７４  第１縁部
７４ａ  ウエスト開口縁部側の端部
７５  第２縁部
７５ａ  ウエスト開口縁部側の端部
Ｚ（斜線部）  接合領域
１Ａ    背側部
１Ｂ    腹側部
１Ｃ    股下部
【図１】
0004023967.tif 000002
【図２】
0004023967.tif 000003
【図３】
0004023967.tif 000004
【図４】
0004023967.tif 000005
【図５】
0004023967.tif 000006
【図６】
0004023967.tif 000007